(57)【要約】【課題】フレームに光触媒層やトルマリン層を備えた額縁の製造に際し、光触媒層、トルマリン層の形成に要する作業を無くすることを可能にした棹の提供。【解決手段】複数本の長尺状のフレーム材を略多角形状に枠組みすることにより形成されるフレームと該フレーム内に支持される透明体および裏板とを具備する額縁の製造過程において、前記フレーム材に用いる額縁用の棹であり、長尺状の棹本体（２）と、該棹本体（２）の表面に形成した、マイナスイオンを放出可能なトルマリン層（３）または／および光触媒により形成した光触媒層（４）とを備えたことを特徴とし、この棹を額縁のフレームを形成するフレーム材として用いることで、額縁に特別な処理を施すことなく、人体に良い影響を与えるマイナスイオンを室内等に放出可能であるとともに、花粉症、アトピー性皮膚炎、シックハウス症候群等の原因物質をも吸着可能が額縁にすることが可能である。【選択図】図１
0003105260.tif 000002
【実用新案登録請求の範囲】
【請求項１】
複数本の長尺状のフレーム材を略多角形状に枠組みすることにより形成されるフレーム（７）と、該フレーム（７）内に支持される透明体（８）および裏板（９）と、を具備する額縁（６）の製造過程において前記フレーム材に用いる額縁用の棹（１）であって、
長尺状の棹本体（２）と、
該棹本体（２）の表面に形成した、マイナスイオンを放出可能なトルマリン層（３）または光触媒により形成した光触媒層（４）と、を備えたことを特徴とする額縁用の棹。
【請求項２】
複数本の長尺状のフレーム材を略多角形状に枠組みすることにより形成されるフレーム（７）と、該フレーム（７）内に支持される透明体（８）および裏板（９）と、を具備する額縁（６）の製造過程において前記フレーム材に用いる額縁用の棹（１）であって、
長尺状の棹本体（２）と、
該棹本体（２）の表面に形成した、マイナスイオンを放出可能なトルマリン層（３）および光触媒により形成した光触媒層（４）と、を備えたことを特徴とする額縁用の棹。
【考案の詳細な説明】
【技術分野】
【０００１】
本考案は、複数本の長尺状のフレーム材を略多角形状に枠組みすることにより形成されるフレームとこのフレーム内に支持される透明体および裏板とを具備する額縁の製造過程において前記フレーム材に用いる、額縁用の棹に係り、より詳しくは、光触媒により形成した光触媒層、または／および、マイナスイオンを放出可能なトルマリン層とを備えたことを特徴とする額縁用の棹に関する。
【背景技術】
【０００２】
一般的に、写真、絵画等を壁等に飾る場合に用いられている額縁は、周知の通り、長尺状のフレーム材を多角形状に枠組みして構成されたフレームと、この多角形状に枠組みされたフレーム内に支持されるとともに、写真、絵画等を挟み込んで支持することが可能な裏板および透明体を備えており、更に、フレームの裏側には、裏板をフレームに係止するための、「とんぼ」といわれる係止部材が回動自在に装着されている。そして、裏板と透明体の間に写真、絵画等を挟み込むことにより額に写真、絵画等を支持するとともに、係止部材によって裏板をフレームに係止して、この状態で額を壁等に掛けることにより、写真、絵画等を所望する箇所に飾ることを可能としており、これにより、特に絵画、写真等を飾ることにより室内の装飾等を行うことも可能となる。
【０００３】
しかしながら、このように、額を用いることにより、絵画、写真、賞状等を室内等に飾っている場合において、長期間経過すると、室内に浮遊している汚れ等によって額が汚れてしまい、特に絵画、写真等を室内装飾の一環として飾っている場合には、その装飾効果が落ちてしまう問題点が考えられる。その一方において、額が汚れる度ごとにこれを交換していたのでは手間、コストの面からも好ましくない。
【０００４】
また、額の表面に花粉等の汚れが付着した場合には、それに起因して花粉症やアトピー性皮膚炎の症状が出るおそれが考えられるが、従来の額は室内の装飾等を重視していたために、このような問題点を解決可能とした額は提供されていなかった。
【０００５】
更に、従来の額は、例えば絵画や写真を飾った場合には、視覚によってのみ室内に居る者に安らぎ等を与えるものであり、その他の方法により室内に居る者に安らぎ等を与える方法を具備した額は考えられていなかった。
【０００６】
そのため、本考案者は過去において、少なくともフレーム又は透明体の表面側に、光触媒により形成した光触媒層やマイナスイオンを放出可能なトルマリン層を備えた額を提案した。
【０００７】
即ち、周知の通り、光触媒とは、光照射の下において化学反応を促進する物質と言われ、より具体的には、光を吸収することにより励起状態になり、その上に分子が吸着して活性化状態になって反応する作用を有するものであり、また、トルマリンは人体に良い影響を与えると言われているマイナスイオンを放出することで知られている。そのために、フレームに光触媒によって形成した光触媒層又はマイナスイオンを放出可能なトルマリン層を備えた額によれば、室内に浮遊する埃や有害物質等を吸着することができ花粉症やアトピー性皮膚炎の原因物質を除去することができ、また、マイナスイオンにより心身ともにリラックスした状態になることができるという利点がある。
【考案の開示】
【考案が解決しようとする課題】
【０００８】
しかしながら、このように、フレームの表面に光触媒層やトルマリン層を形成する場合には、まず額縁を製造し、その後に、この完成した額縁におけるフレームの表面に、光触媒のコーティング剤をスプレーして塗付したり、あるいはスプレー式のトルマリンを塗付する必要があり、作業が煩雑にならざるを得ないという問題点がある。
【０００９】
ところで、額縁におけるフレームは、複数本の長尺状のフレーム材を多角形状に枠組みすることにより構成されているが、このフレーム材は一般的に、長さ１メートル乃至３メートルほどの長尺状の額縁専用の棹を所定の寸法に切断して製造する。
【００１０】
そのために、この、フレーム材を製造するために用いる額縁用の棹自体に光触媒層やトルマリン層が備わっていれば、額縁を製造した後に光触媒のコーティング剤やトルマリンをフレームにスプレーする必要が無くなる。
【００１１】
そこで、本考案は、フレームに光触媒層やトルマリン層を備えた額縁の製造に際して、光触媒層、トルマリン層の形成に要する作業を無くすることを可能とした額縁用の棹を提供することを課題としている。
【課題を解決するための手段】
【００１２】
本考案の額縁用の棹は、複数本の長尺状のフレーム材を略多角形状に枠組みすることにより形成されるフレームと該フレーム内に支持される透明体および裏板とを具備する額縁の製造過程において前記フレーム材に用いる額縁用の棹であって、長尺状の棹本体と、該棹本体の表面に形成した、光触媒により形成した光触媒層または／およびマイナスイオンを放出可能なトルマリン層とを備えたことを特徴としている。
【考案の効果】
【００１３】
本考案は、額縁のフレームを構成するフレーム材として用いられる額縁用の棹の表面に光触媒層やトルマリン等を形成しているため、この棹を用いて額縁を製造するのみで、光触媒層やトルマリン層を備えた額縁を得ることができる。
【考案を実施するための最良の形態】
【００１４】
本考案の額縁用の棹では、長尺状の棹本体を備えており、この棹本体は、木製、金属製、樹脂製、皮製等が考えられる。
【００１５】
そして、この棹本体の表面には、光触媒により構成した光触媒層、または／および、マイナスイオンを放出可能なトルマリン層が形成されている。
【実施例１】
【００１６】
本考案の額縁用の棹（以下単に「棹」という。）の実施例について図面を参照して説明すると、図１は、本実施例の棹を示す斜視図であり、また図２は図１におけるＡ−Ａ線断面図であり、図において１が本実施例の棹である。
【００１７】
そして、本実施例の棹１は棹本体を備えており、即ち、図２において２が棹本体であり、本実施例における棹本体２は、長手方向に向けた断面形状を略矩形状とした長尺状物としており、全長は約１メートル乃至３メートル程としている。
【００１８】
また、その材質としては、木製、金属製、樹脂製、又は皮製等が考えられ、更に木製の場合には無垢材、合板材、集成材等が考えられるが、本実施例においては木製としている。
【００１９】
次に、図２において３は、マイナスイオンを放出可能なトルマリン層である。即ち、本実施例における棹１においては、前記棹本体２の表面全域に、マイナスイオンを放出することで知られているトルマリン層３を形成し、これにより、このトルマリン層３よりマイナスイオンを放出可能としている。そのために、本実施例の棹１を額縁のフレームを構成するフレーム材として用いた場合には、完成した額縁に対して何らの処置等を施すことなく、これを飾っている室内等にマイナスイオンが放出され、これにより、室内に居る者は心身ともにリラックスすることができる。
【００２０】
なお、トルマリン層３の形成方法は特に限定されないが、本実施例においては、市販されているスプレー式のトルマリンを用いて、これにより前記棹本体２の表面にトルマリンを塗布することによりトルマリン層３を形成した。
【００２１】
次に、図２において４は光触媒層であり、即ち、本実施例の棹１においては、前記トルマリン層３の表面全域に、光触媒により形成された光触媒層４を形成している。
【００２２】
ここで、この光触媒層４について説明すると、本実施例の棹１においては、二酸化チタンを主原料とした光触媒のコーティング剤を前記トルマリン層３の表面に塗布することにより棹本体２の表面に光触媒層４を形成している。
【００２３】
周知のように、光触媒は、光を受けることにより有害物質等を吸着する作用を有しているため、この光触媒により形成された光触媒層４を備えた本実施例の棹１では、これをフレーム材として用いて額縁を製造した場合には、製造した額縁自体には何ら処理等を施すこと無く、額縁のフレーム部分により室内に散乱する有害物質等を吸着でき、このフレームに付着した有害物質等を拭き取ることで有害物質等を除去することができるので、フレームの劣化等を有効に防止することができる。また、それとともに、花粉症やアトピー性皮膚炎、シックハウス症候群等の原因物質をも吸着することができるため、室内環境を良くすることができる。
【００２４】
なお、前記光触媒層４の形成方法は特に限定されず、光触媒をトルマリン層３の表面にコーティングすることが可能であればいずれの方法を採用してもよく、例えば、スプレー式のコーティング剤、より詳しくは、ゼンワールド製の商品名「エアープロットＧ」を塗布することで容易に光触媒４を形成可能である。
【００２５】
次に、本実施例の棹１の使用方法について説明すると、即ち、本実施例の棹１を用いて額縁を製造する方法の一例を説明すると、図４は、本実施例の棹１をフレーム材として用いて製造した額縁を正面側から見た斜視図であり、また図５はこの額を背面側から見た斜視図であり、更に、図６はこの額の縦断側面を示す断面図であり、図において６が本実施例の額である。
【００２６】
そして、本実施例の棹１を用いて額縁を製造する場合には、まず、本実施例の棹１を任意の寸法で切断して、図３に示すような、同一寸法としたフレーム材２本を一対とした場合における、二対のフレーム材５を製造する。なお、図３において、５ａと５ｂ、５ｃと５ｄがそれぞれ、同一寸法とした一対のフレーム材である。
【００２７】
次に、この二対のフレーム材５を、同一寸法のフレーム材５が対向するような配置にして略四角形状に枠組みするとともに、適宜の方法でフレーム材５を互いに連結し、これによって、四角形状のフレーム７を形成する。従って、前記フレーム材５を製造する際には、両端部分を鋭角状にしておくとともに、四角形状に枠組みした際に内周側になる側の全域に段差部７０１を形成しておく。また、フレーム材の連結方法は特に限定されず、接着剤を用いた接着や、金具等を用いた連結等が考えられる。
【００２８】
次に、前記形成した段差部７０１に周縁部が載置するような配置で、フレーム７の内周側に、フレーム７の内周側に収納可能な寸法の略四角形状とした透明体８と裏板９を係止し、更に、フレーム７に回動自在に備えた係止手段１０によって裏板９をフレーム７に係止する。そして、これにより図４乃至図６に示す額縁６が完成し、透明体８と裏板９間に絵画、写真、賞状等の所望するものを挟み込み、この状態の額縁６を室内等の壁等に掛けることで、写真、絵画等を所望する箇所に飾ることが可能となる。
【００２９】
そしてこのとき、本実施例の棹１では、その表面全域にトルマリン層３及び光触媒層４を形成しているために、この完成した額縁６に特に処理等を施すことなく、フレーム７からマイナスイオンが放出されるとともに、フレーム７に有害物質等が吸着されるため、室内環境をよくすることが可能である。
【００３０】
なお、前述の実施例では、トルマリン層３及び光触媒層４の双方を棹本体２の表面に形成した場合について説明したが、必ずしも双方を形成する必要は無く、トルマリン層３又は光触媒層４のいずれかのみを形成してもよい。
【００３１】
更に、トルマリン層３及び光触媒層４の双方を形成する場合において、必ずしもトルマリン層３の表面に光触媒層４を形成する必要も無く、まず光触媒層４を形成し、その表面にトルマリン層３を形成してもよい。
【産業上の利用可能性】
【００３２】
本考案の額縁用の棹では、棹本体の表面に、光触媒により形成した光触媒層、または／および、マイナスイオンを放出可能なトルマリン層を形成し、これにより、マイナスイオンを放出可能にするとともに、有害物質等を吸着可能としているために、とんぼ等の係止手段によって裏板をフレームに係止する、いわゆる一般的な額の製造の他に、フレーム自体を回動して写真、絵画等を収納可能なフロントオープン式のパネル等のフレーム材の製造にも適用可能である。
【図面の簡単な説明】
【００３３】
【図１】本考案の棹の実施例を示す斜視図である。
【図２】図１におけるＡ−Ａ線断面図である。
【図３】本考案の棹の実施例を用いて製造したフレーム材を説明するための図である。
【図４】本考案の棹を用いて製造した額縁の正面側斜視図である。
【図５】本考案の棹を用いて製造した額縁の背面側斜視図である。
【図６】本考案の棹を用いて製造した額縁の縦断側面図である。
【符号の説明】
【００３４】
１    棹
２    棹本体
３    トルマリン層
４    光触媒層
５    フレーム材
６    額縁
７    フレーム
７０１    段差部
８    透明体
９    裏板
１０    係止手段
【図１】
0003105260.tif 000003
【図２】
0003105260.tif 000004
【図３】
0003105260.tif 000005
【図４】
0003105260.tif 000006
【図５】
0003105260.tif 000007
【図６】
0003105260.tif 000008